(57)【要約】【課題】複合した各ケーブルがばらけにくくしかもその特性が低下するおそれがないとともに、取り扱い性や可とう性も良好である通信用複合ケーブルを提供する。【解決手段】通信用複合ケーブル１は、ＵＴＰケーブル２と同軸ケーブル３とを撚り合わせて形成した複合撚線５の外周に、導体の上に絶縁体を被覆してなる絶縁線心を２本撚り合わせその上にシースを施して構成される電話用の通信線としてのペアケーブル４を巻き付けて構成した。【選択図】　図１
2004119096.tif 000002
【特許請求の範囲】
【請求項１】
ＵＴＰケーブルと同軸ケーブルとを撚り合わせて形成した複合撚線の外周に通信線を巻き付けて構成したことを特徴とする通信用複合ケーブル。
【請求項２】
ＵＴＰケーブルと同軸ケーブルと通信線とを撚り合わせて形成した複合撚線の外周に前記通信線とは別の通信線を巻き付けて構成したことを特徴とする通信用複合ケーブル。
【請求項３】
前記複合撚線の外周への前記通信線の巻き付けは、前記複合撚線の撚りピッチとは異なるピッチで行ったことを特徴とする請求項１又は２に記載の通信用複合ケーブル。
【請求項４】
前記複合撚線の外周への前記通信線の巻き付けは、前記複合撚線の撚り方向とは反対の方向に行ったことを特徴とする請求項１，２又は３に記載の通信用複合ケーブル。
【発明の詳細な説明】
【０００１】
【発明の属する技術分野】
本発明は、ＵＴＰ（Ｕｎｓｈｉｅｌｄｅｄ　Ｔｗｉｓｔｅｄ−Ｐａｉｒ）ケーブルと、同軸ケーブルと、例えばペアケーブルや平行ケーブル等の通信線とを複合した通信用複合ケーブルに関する。
【０００２】
【従来の技術】
従来、事務所、家庭や集合住宅等において、電話、テレビ、コンピュータ等の接続のためのマルチメディア配線を行うため、ＵＴＰケーブルと、同軸ケーブルと、例えばペアケーブルや平行ケーブル等の通信線とを複合した通信用複合ケーブルが広く使われている。
【０００３】
前記ＵＴＰケーブルは、ＬＡＮ（Ｌｏｃａｌ　Ａｒｅａ　Ｎｅｔｗｏｒｋ）用の配線に用いられ、前記同軸ケーブルは例えばテレビの放送信号を伝送するためのＣＡＴＶ用等に用いられ、前記ペアケーブルや平行ケーブル等の通信線は例えば電話用等に用いられるものである。そしてこれらの各ケーブルを複合した通信用複合ケーブルは、それぞれのケーブルを別々に布設する場合に比べて配線や取り扱いが容易であるという利点がある。
【０００４】
このような通信用複合ケーブルの一例として、ＵＴＰケーブルと同軸ケーブルとペアケーブルとを撚り合わせ、その隙間に介在物を充填し、押さえ巻きを施した上に一括シースを施して構成されるＵＴＰ複合ケーブルが知られている（例えば、特許文献１参照）。
【０００５】
しかし、かかる一括シース型の複合ケーブルにあっては、介在物が充填されているため可撓性が低下し、また、一括シース押し出し工程が必要となるため、コスト高になる。
【０００６】
そこで、このような問題を生じない通信用複合ケーブルとして、ＵＴＰケーブルと、同軸ケーブルと、ペアケーブルや平行ケーブル等の通信線とを撚り合わせてなる通信用複合ケーブルが考えられる。また、ＵＴＰケーブルと、同軸ケーブルと、ペアケーブルや平行ケーブル等の通信線とを撚り合わせて複合撚線を形成し、該複合撚線の外周にメッセンジャーワイヤーをバインド線として巻き付けた通信用複合ケーブルも考えられる。これらのケーブルであれば、介在物が充填されていないので可撓性が低下することはなく、また一括シース押し出し工程が不要であるためコスト高ともならない。
【０００７】
【特許文献１】
特開２０００−１２３６４８号公報（第３−４頁、第１図、第２図）
【０００８】
【発明が解決しようとする課題】
しかし、ＵＴＰケーブルと、同軸ケーブルと、ペアケーブルや平行ケーブル等の通信線とを撚り合わせてなる前者の通信用複合ケーブルは、各ケーブルを撚り合わせただけのものであるため、各ケーブルがばらけ易くなるおそれがあり、配線がしにくくなることが懸念される。各ケーブルがばらけないようにするために、各ケーブルの撚りピッチを細かくすることも考えられるが、撚りピッチが細かくなる分、ＵＴＰケーブル及び同軸ケーブルにあってはその電気長が長くなり、減衰量が大きくなるといった問題がある。
【０００９】
また、ＵＴＰケーブルと、同軸ケーブルと、ペアケーブルや平行ケーブル等の通信線とを撚り合わせて形成した複合撚線の外周にメッセンジャーワイヤーをバインド線として巻き付けた後者の通信用複合ケーブルにあっては、以下のような問題を生じる。すなわち、１つは、バインド線として用いるメッセンジャーワイヤーは腰があるため、このようなメッセンジャーワイヤーが巻き付けられることにより各ケーブルへの締め付けが大きくなり、製造時に各ケーブルの特性が低下するおそれがあるということである。もう１つは、メッセンジャーワイヤーは重量が重く、これをバインド線として巻き付けた通信用複合ケーブルは前記一括シース型の通信用複合ケーブルに比べてケーブル全体の重量が重くなり、取り扱い性が悪いということである。
【００１０】
本発明の目的は、複合した各ケーブルがばらけにくくしかもその特性が低下するおそれがないとともに、取り扱い性や可撓性も良好である通信用複合ケーブルを提供することにある。
【００１１】
【課題を解決するための手段】
上記目的を達成するため、請求項１に記載の通信用複合ケーブルは、ＵＴＰケーブルと同軸ケーブルとを撚り合わせて形成した複合撚線の外周に通信線を巻き付けて構成したことを特徴とする。
【００１２】
本発明において、複合撚線の外周に巻き付ける通信線とは、例えば電話用のペアケーブル又は平行ケーブル等を意味しており、前記ＵＴＰケーブルや前記同軸ケーブルは含まない概念である。
【００１３】
上記のような構成の請求項１に係る通信用複合ケーブルでは、通信線を複合撚線の外周に巻き付けているので、複合撚線を形成するＵＴＰケーブルと同軸ケーブルがばらけない。したがって、布設時のケーブル取りまわしが容易になるとともに、撚り合わせたＵＴＰケーブルと同軸ケーブルの撚りピッチを細かくしなくてもよいので、ＵＴＰケーブルと同軸ケーブルの減衰量が大きくなることもない。
【００１４】
また、一括シースやバインド線としてメッセンジャーワイヤーを含まないので、ケーブル全体の重量は各ケーブルを合計しただけの重量となる。したがって、一括シースを施したものやメッセンジャーワイヤーを巻いたものよりも軽量化を図ることができる。このため、通信用複合ケーブルの移動や布設時のケーブルの取りまわしが容易である。また、一括シースを施さないことからコストを抑えることができるとともに、介在も有していないため可撓性が低下することもない。
【００１５】
また、複合撚線の外周に巻き付けた通信線は、ペアケーブルや平行ケーブル等の１対又は２心のケーブルであり、外径が小さく柔軟性があるため、複合撚線を形成しているＵＴＰケーブルと同軸ケーブルに対する締め付けが小さく、これらの特性低下を防ぐことができる。
【００１６】
請求項２に記載の通信用複合ケーブルは、ＵＴＰケーブルと同軸ケーブルと通信線とを撚り合わせて形成した複合撚線の外周に前記通信線とは別の通信線を巻き付けて構成したことを特徴とする。
【００１７】
かかる構成により、請求項２に記載の通信用複合ケーブルでは、少なくとも２本以上の通信線のうちの１本を複合撚線の外周に巻き付けているので、前記複合撚線を形成するＵＴＰケーブルと同軸ケーブルと通信線とがばらけない。したがって、布設時のケーブル取りまわしが容易になるとともに、撚り合わせたＵＴＰケーブルと同軸ケーブルと通信線との撚りピッチを細かくしなくてもよいので、ＵＴＰケーブルと同軸ケーブルの減衰量が大きくなることもない。
【００１８】
また、一括シースやバインド線としてメッセンジャーワイヤーを含まないので、ケーブル全体の重量は各ケーブルを合計しただけの重量となる。したがって、一括シースを施したものやメッセンジャーワイヤーを巻いたものよりも軽量化を図ることができる。このため、通信用複合ケーブルの移動や布設時のケーブルの取りまわしが容易である。また、一括シースを施さないことからコストを抑えることができるとともに、介在も有していないため可撓性が低下することもない。
【００１９】
また、複合撚線の外周に巻き付けた通信線は、ペアケーブルや平行ケーブル等の１対又は２心のケーブルであり、外径が小さく柔軟性があるため、複合撚線を形成しているＵＴＰケーブルと同軸ケーブルと通信線に対する締め付けが小さく、これらの特性低下を防ぐことができる。
【００２０】
請求項３に記載の通信用複合ケーブルは、請求項１又は２に記載の通信用複合ケーブルであって、前記複合撚線の外周への前記通信線の巻き付けは、前記複合撚線の撚りピッチとは異なるピッチで行ったことを特徴とする。
【００２１】
かかる構成により、複合撚線の外周に巻き付けた通信線の巻き付けのピッチと複合撚線の撚りピッチとが異なっているので、複合撚線を形成する各ケーブルがより一層ばらけにくくなる。
【００２２】
請求項４に記載の通信用複合ケーブルは、請求項１，２又は３に記載の通信用複合ケーブルであって、前記複合撚線の外周への前記通信線の巻き付けは、前記複合撚線の撚り方向とは反対の方向に行ったことを特徴とする。
【００２３】
かかる構成により、通信線を複合撚線の外周に巻き付ける方向と複合撚線の撚り方向とが互いに逆方向となっているので、複合撚線を形成する各ケーブルが一層ばらけにくくなる。
【００２４】
【発明の実施の形態】
以下、本発明に係る通信用複合ケーブルの実施の形態の一例について説明する。
図１は本発明の通信用複合ケーブルの実施の形態の一例を示す斜視図、図２は図１に示す複合ケーブルの断面図である。
【００２５】
図において、１は本例の通信用複合ケーブルであり、通信用複合ケーブル１は、ＵＴＰケーブル２と同軸ケーブル３とをそれぞれ２本ずつ有し、ペアケーブル４（請求項にいう通信線）を１本有している。そして、ＵＴＰケーブル２と同軸ケーブル３とを各２本ずつ合計４本撚り合わせて複合撚線５が形成され、該複合撚線５の外周にペアケーブル４を巻き付けて構成されている。このような通信用複合ケーブル１は、例えば事務所、家庭や集合住宅等における宅内配線に用いられるものである。
【００２６】
前記ＵＴＰケーブル２は、例えばＬＡＮ用の配線に用いられるものであり、以下のような構成となっている。すなわち、導体６の上に絶縁体７を被覆してなる絶縁線心８を２本撚り合わせて対撚り線心９が形成されている。そして、この対撚り線心９を４本撚り合わせ、その上からシース１０を施して構成されている。
【００２７】
また、同軸ケーブル３は、例えばテレビの放送信号を伝送するためのＣＡＴＶ用等に用いられるものであり、導体１１の上に絶縁体１２を被覆し、その上にアルミテープ１３を縦添えにより施し、さらにその上に編組１４、シース１５を施して構成されている。
【００２８】
また、ペアケーブル４は電話用の通信線であり、通信ケーブルとして用いられる前記ＵＴＰケーブル２や前記同軸ケーブル３とは異なるものである。かかるペアケーブル４は、本例にあっては導体（不図示）の上に絶縁体（不図示）を被覆してなる絶縁線心１６を２本撚り合わせ、その上にシース１７を施して構成されている。このようなケーブルとしては、例えばＴＩＥＶ（屋内用通信電線）が挙げられる。
【００２９】
かかるペアケーブル４の複合撚線５の外周への巻き付けは、図１に示すように複合撚線５の撚り方向と同じ方向となっており、また巻き付けのピッチは複合撚線５の撚りピッチとは異なるピッチとなっている。ただし、本発明はこのような構成に限られないことは勿論である。
【００３０】
複合撚線５の外周に巻き付ける線心を、ＵＴＰケーブル２や同軸ケーブル３ではなく、ペアケーブル４としたのは、以下のような理由によるものである。すなわち、ＵＴＰケーブル２と同軸ケーブル３は、導体抵抗、静電容量、静電結合などの特性項目（１次定数）の他に、減衰量、反射減衰量、近端漏話減衰量などの周波数毎に試験される特性項目（２次定数）がある。これら減衰量、反射減衰量、近端漏話減衰量などの２次定数は導体抵抗、静電容量、静電結合などの１次定数よりも厳しい特性項目である。しかしながら、電話用の通信線であるペアケーブル４は、ＵＴＰケーブル２及び同軸ケーブル３とは異なり、要求特性として２次定数がない。したがって、ペアケーブル４は要求特性がゆるいことから、これを複合撚線５の外周に巻き付けても要求特性を十分に満足するからである。また、ペアケーブル４は電話用の通信線で１対であり、外径が小さく可撓性がよいからである。
【００３１】
このように要求特性がゆるく且つ外径が小さくて可撓性がよいという条件を満たし複合撚線５の外周に巻き付ける通信線としては、ペアケーブル４の他に、例えばＴＩＶＦ（屋内用平形通信電線）などの電話用の２心の平行ケーブルが挙げられる。
【００３２】
このような本例の通信用複合ケーブル１では、ペアケーブル４を複合撚線５の外周に巻き付けているので、複合撚線５を形成するＵＴＰケーブル２と同軸ケーブル３がばらけない。したがって、布設時のケーブル取りまわしが容易になるとともに、撚り合わせたＵＴＰケーブル２と同軸ケーブル３の撚りピッチを細かくしなくてもよいので、ＵＴＰケーブル２と同軸ケーブル３の減衰量が大きくなることもない。
【００３３】
また、一括シースやバインド線としてメッセンジャーワイヤーを含まないので、ケーブル全体の重量は各ケーブルを合計しただけの重量となる。したがって、一括シースを施したものやメッセンジャーワイヤーを巻いたものよりも軽量化を図ることができる。このため、通信用複合ケーブルの移動や布設時のケーブルの取りまわしが容易である。また、一括シースを施さないことからコストを抑えることができるとともに、介在も有していないため可撓性が低下することもない。
【００３４】
また、複合撚線５の外周に巻き付けたペアケーブル４は、１対のケーブルであり、外径が小さく柔軟性があるため、複合撚線５を形成しているＵＴＰケーブル２と同軸ケーブル３に対する締め付けが小さく、これらの特性低下を防ぐことができる。
【００３５】
また、複合撚線５の外周に巻き付けたペアケーブル４の巻き付けのピッチと複合撚線５の撚りピッチとが異なっているので、複合撚線５を形成するＵＴＰケーブル２と同軸ケーブル３は一層ばらけにくくなる。
【００３６】
なお、上記実施の形態では、複合撚線５の外周に巻き付けたペアケーブル４の巻き付け方向と複合撚線５の撚り方向は、同じ方向となっているが、図３に示すように、互いに反対の方向となっていてもよい。この場合には、複合撚線５を形成するＵＴＰケーブル２と同軸ケーブル３は一層ばらけにくくなる。
【００３７】
次に本発明に係る通信用複合ケーブルの実施の形態の他例について図４を参照して説明する。本例の通信用複合ケーブル１８は、通信線としてのペアケーブル４を２本有していて、そのうちの１本をＵＴＰケーブル２及び同軸ケーブル３とともに撚り合わせて複合撚線１９を形成し、もう１本のペアケーブル４を複合撚線１９の外周に巻き付けて構成されている。
【００３８】
このような本例の通信用複合ケーブル１８においても、上記実施の形態の一例の通信用複合ケーブル１と同様の効果を得ることができる。
【００３９】
なお、ＵＴＰケーブル２、同軸ケーブル３、ペアケーブル４の本数にあっては、上記実施の形態の一例及び他例における本数に限られるものではないことは勿論である。
【００４０】
【発明の効果】
以上説明したように請求項１及び請求項２に記載の発明によれば、複合撚線がばらけないことから、布設時のケーブル取りまわしが容易になるとともに、撚り合わせたＵＴＰケーブルと同軸ケーブルの撚りピッチを細かくしなくてもよいので、ＵＴＰケーブルと同軸ケーブルの減衰量が大きくなることもない。
【００４１】
また、ケーブル全体の重量は各ケーブルを合計しただけの重量となるので、一括シースを施したものやメッセンジャーワイヤーを巻いたものよりも軽量化を図ることができる。このため、通信用複合ケーブルの移動や布設時のケーブルの取りまわしが容易である。また、コストを抑えることができるとともに、可撓性も良好である。
【００４２】
また、複合撚線の外周に巻き付けた通信線は、複合撚線を形成しているＵＴＰケーブルと同軸ケーブルに対する締め付けが小さいので、これらの特性低下を防ぐことができる。
【００４３】
請求項３及び請求項４に記載の発明によれば、複合撚線を形成する各ケーブルが一層ばらけにくくなる。
【図面の簡単な説明】
【図１】本発明の通信用複合ケーブルの実施の形態の一例を示す斜視図。
【図２】図１に示す複合ケーブルの断面図。
【図３】複合撚線の外周に巻き付けるペアケーブルを図１とは反対の方向に巻き付けた通信用複合ケーブルを示す斜視図。
【図４】本発明の通信用複合ケーブルの実施の形態の他例を示す断面図。
【符号の説明】
１，１８　　　通信用複合ケーブル
２　　　ＵＴＰケーブル
３　　　同軸ケーブル
４　　　ペアケーブル
５，１９　　　複合撚線
【図１】
2004119096.tif 000003
【図２】
2004119096.tif 000004
【図３】
2004119096.tif 000005
【図４】
2004119096.tif 000006